(57)【特許請求の範囲】
【請求項１】
内筒と外筒との対向面間においてその筒軸方向へ伸延される水路、オイル室および電装室が並列状に配設されるよう隔壁を縦設させ一体成型された二重構造のモータフレームをポンプケーシング上に立設させ、水路は下端部がポンプケーシング内の渦巻室と通じ上端部がポンプ吐出口と通じ、オイル室は下端部がメカニカルシールの周辺部と通じ上端部がモータフレーム上方部の給油口と通じ、電装室は内側部で内筒内と通じ上端部がモータフレーム上方部の電源ケーブル挿通口と通じるよう構成したことを特徴とする、立型水中電動ポンプ。
【請求項２】
内筒と外筒との対向面間には複数の水路が縦設されており、各水路の上端部が前記二重構造のモータフレームの上方部側周で合流してポンプ吐出口へ通じるよう構成したことを特徴とする、請求項１記載の立型水中電動ポンプ。
【発明の詳細な説明】
【０００１】
【発明の技術分野】
本発明は、立型水中電動ポンプに関するものである。
【０００２】
【従来技術とその問題点】
立型水中電動ポンプは従来、図１０に示すよう下から上へオイル室１２２、モータ室１１１、電装室１１６の順に積層状に配置されており、縦方向での必要空間を短縮することが困難である。そして全面水路を構成する場合には、吐出口の空間確保のためモータ単体完成状態品にアウトカバー１１１Ｂを被せる構造であり、その分部品点数と組立工数が増加するこになる。特に単相モータ使用時においては電装品スペースを確保するための部材も必要となる。また、潤滑油の冷却は揚水で行われるが、耐摩耗性を保有させるためオイル室１２２と接する後面ライナ１０８等にゴム被覆１０９等を施した場合は、オイルの冷却機能が損なわれることになる。更にまた、給油口１２３の開設位置がオイル室１２２の側面に限定されるため、給油時にはポンプを横倒しにしなければならないという不便さがある。
【０００３】
【発明の目的】
本発明の目的は、筒状モータフレームの外周面空間を利用した構成により、縦方向での必要空間を削減してポンプ全高を低く構成し得ると共にアウトカバーを別途に必要とすることなく部品点数と組立工数を少なくし、また、潤滑油の冷却効果が高められて軸封装置を長寿命化し得られ、かつ、給油時に横倒しとする必要のない立型水中電動ポンプを提供することにある。
【０００４】
【発明の構成】
本発明に係る立型水中電動ポンプでは、内筒と外筒との対向面間においてその筒軸方向へ伸延される水路、オイル室および電装室が並列状に配設されるよう隔壁を縦設させ一体成型された二重構造のモータフレームをポンプケーシング上に立設させ、水路は下端部がポンプケーシング内の渦巻室と通じ上端部がポンプ吐出口と通じ、オイル室は下端部がメカニカルシールの周辺部と通じ上端部がモータフレーム上方部の給油口と通じ、電装室は内側部で内筒内と通じ上端部がモータフレーム上方部の電源ケーブル挿通口と通じるよう構成した。また、内筒と外筒との対向面間に複数の水路を縦設した場合には、各水路の上端部が上記二重構造のモータフレームの上方部側周で合流してポンプ吐出口へ通じるよう構成する。
【０００５】
【実施例】
以下本発明実施例の図面により説明をする。
【０００６】
１はゴム等の耐摩耗性材料で作られたポンプケーシングであって、内部は渦巻室２に形成されている。３はモータ軸４の導下部に嵌着されてポンプケーシング１内に収容された羽根車、５はポンプケーシング１の下縁部に定着せられ中央にポンプ吸込口６を開口させたサクションカバー、７はストレーナ、８はポンプケーシング１の背部に定着されたシールプレート、９は耐摩耗性材料で作られてシールプレート８の下面に添着された保護シート、１０はポンプケーシング１が水圧によって外側へ変形することを阻止するための補強壁であり、シールプレート８の周辺部から導下されてポンプケーシング１の巻の外周へ当接する。１１は一体成型された二重構造のモータフレームであって、内筒１１Ａと外筒１１Ｂとの対向面間においてその筒軸方向へ伸延される水路１４と隣接してオイル室１５およびおよび電装室１６が円周方向へ並列状に配設されている。１７・・・・１７は上記各室を区画するため縦設された隔壁である。モータフレーム１１の上端面はヘッドカバー１２を装着するなどにより閉塞せられ、内筒１１Ａ内にはモータ１３が収容されている。上記渦巻室２における巻の終端部２Ｅは水路１４の下端部と通じ、水路１４の上端部はヘッドカバー１２の内周部に形成される誘導路１８を経てポンプ吐出口１９へ通じている。実施例の図面に示すよう、２個の水路１４，１４が対向状に配設せられ、それぞれの下端部が二重渦巻室２の巻の終端部２Ｅ，２Ｅとそれぞれ各別に導通させてある場合には、各水路１４，１４の上端部がヘッドカバー１２内の誘導路１８で合流してポンプ吐出口１９へ通じるのである。オイル室１５は隔壁１７を介して水路１４，１４間に狭まれるようにして縦設されており、その下端部はモータフレーム１１の下方部に穿設された通油孔２０を介して、メカニカルシール２１の周辺部に形成された環状空所２２へ通じ、上端部はヘッドカバー１２の上面から開設された給油口２３へ通じている。２４は給油口２３に施される給油プラグである。電装室１６はその内側面に設けられたリード線引出孔２５を介して内筒１１Ａ内へ通じ上端面がモータフレーム１１上方部の電源ケーブル挿通口２６へ通じている。
【０００７】
【作用】
ポンプ駆動時には、ポンプ吸込口６から渦巻室２内へ吸込まれた水は、巻の終端部２Ｅから水路１４内を上昇する過程でモータフレーム１１内のモータ１３およびオイル室１５内の潤滑油を冷却しつつ誘導路１８を経てポンプ吐出口１９から吐出される。
【０００８】
【発明の効果】
本発明立型水中電動ポンプにおいては、モータフレームの内筒と外筒との対向面間の空間を利用してオイル室および電装室を水路に隣接させた態様で並列状に縦設させるのであるから、ポンプ全高を低く構成し得ると共に潤滑油の冷却効果が高められ、シールプレート下面に耐摩耗性保護シートが添着されてある場合でもオイルの冷却機能は何ら損なわれることがなく、軸封装置を長寿命化し得られるのである。また、給油口がモータフレームの上方部から開設されるので、給油時にポンプを横倒しにすることを要しない。更にまた、モータフレーム自体が二重構造に構成されているので、前記従来品のようなアウトカバー（１１１Ｂ）の蓋装を必要としないため、部品点数および組立工数を削減し得るという利点がある。
【図面の簡単な説明】
【図１】本発明立型水中電動ポンプのオイル室および電装室が表示される部位での縦断側面図である。
【図２】本発明立型水中電動ポンプの水路が表示される部位での縦断側面図である。
【図３】本発明立型水中電動ポンプにおけるモータフレームの平面図である。
【図４】本発明立型水中電動ポンプにおけるモータフレームの底面図である。
【図５】図３のＡ−Ａ線における縦断側面図である。
【図６】図３のＢ−Ｂ線における縦断側面図である。
【図７】図３ないし図６に示されたモータフレームの上端面を閉塞するためのヘッドカバーの底面図である。
【図８】図１のＣ−Ｃ線における横断平面図である。
【図９】本発明立型水中電動ポンプの構成の要約を示す説明図である。
【図１０】従来における立型水中電動ポンプの縦断側面図である。
【符号の説明】
１      ポンプケーシング
２      渦巻室
１１      モータフレーム
１１Ａ    内筒
１１Ｂ    外筒
１４      水路
１５      オイル室
１６      電装室
１９      ポンプ吐出口
２１      メカニカルシール
２３      給油口
２６      電源ケーブル挿通口
【図１】
0004342624.tif 000002
【図２】
0004342624.tif 000003
【図３】
0004342624.tif 000004
【図４】
0004342624.tif 000005
【図５】
0004342624.tif 000006
【図６】
0004342624.tif 000007
【図７】
0004342624.tif 000008
【図８】
0004342624.tif 000009
【図９】
0004342624.tif 000010
【図１０】
0004342624.tif 000011